(57)【要約】【課題】  本発明は、平面表示装置において、十分な耐衝撃性を有するとともに、部品点数を減らすことができ、コストダウンを行うことを課題とする。【解決手段】  本発明に係る平面表示装置用シャーシは、平面表示素子５００等の構成部材を支持するものであり、シャーシ本体１００が、平面方向の歪の自由度が小さい開口部１００を有することを特徴としている。該開口部１００としては、略三角形状の開口部１００を採用することが好ましく、該開口部１００を複数形成することが好ましい。【選択図】図１
2004272237.tif 000002
【特許請求の範囲】
【請求項１】
平面表示装置において平面表示素子等の構成部材を支持する平面表示装置用シャーシであって、
シャーシ本体は、平面方向の歪の自由度が小さい開口部を有することを特徴とする
平面表示装置用シャーシ。
【請求項２】
請求項１記載の平面表示装置用シャーシであって、
前記開口部は複数設けられていることを特徴とする
平面表示装置用シャーシ。
【請求項３】
請求項１又は２記載の平面表示装置用シャーシであって、
前記開口部は略三角形状であることを特徴とする
平面表示装置用シャーシ。
【請求項４】
請求項３記載の平面表示装置用シャーシであって、
前記略三角形状の開口部の少なくとも一辺は、隣接する他の開口部の一辺と略平行であることを特徴とする
平面表示装置用シャーシ。
【請求項５】
請求項３又は４記載の平面表示装置用シャーシであって、
前記略三角形状の開口部の少なくとも一辺は、シャーシ本体の外縁と隣接するとともに略平行であることを特徴とする
平面表示装置用シャーシ。
【請求項６】
請求項３乃至５の何れかに記載の平面表示装置用シャーシであって、
前記略三角形状の開口部は、略三角形の頂点を構成する二辺が連続するように、該頂点付近に湾曲部が設けられていることを特徴とする
平面表示装置用シャーシ。
【請求項７】
請求項３乃至５の何れかに記載の平面表示装置用シャーシであって、
前記略三角形状の開口部は、略三角形の頂点を構成する二辺が連続するように、該頂点付近を屈曲線或いは屈曲直線で結ぶ形状が設けられていることを特徴とする
平面表示装置用シャーシ。
【請求項８】
請求項１乃至７の何れかに記載の平面表示装置用シャーシであって、
前記略三角形状の開口部の縁部には、周囲より大きな肉厚部が設けられていることを特徴とする
平面表示装置用シャーシ。
【請求項９】
請求項１乃至８の何れかに記載の平面表示装置用シャーシであって、
前記シャーシ本体は、樹脂により構成されていることを特徴とする
平面表示装置用シャーシ。
【請求項１０】
請求項９記載の平面表示装置用シャーシであって、
前記シャーシ本体は、樹脂により一体成形されて構成されていることを特徴とする
平面表示装置用シャーシ。
【請求項１１】
請求項１乃至８の何れかに記載の平面表示装置用シャーシであって、
前記シャーシ本体は、セラミック等の焼成物により構成されていることを特徴とする
平面表示装置用シャーシ。
【請求項１２】
請求項１乃至１１の何れかに記載の平面表示装置用シャーシであって、
前記シャーシ本体は、平面方向の歪の自由度が大きい開口部を有しており
この平面方向の歪の自由度が大きい開口部、または、この開口部を含む平面方向の歪の自由度が大きい開口領域の少なくとも一辺は、平面方向の歪の自由度が小さい部位に隣接していることを特徴とする
平面表示装置用シャーシ。
【請求項１３】
請求項１乃至１２の何れかに記載の平面表示装置用シャーシであって、
前記シャーシ本体には、支持する構成部材を肉厚方向に密接に支持するように、ベゼルに対する係合手段が形成されていることを特徴とする
平面表示装置用シャーシ。
【請求項１４】
請求項１乃至１３の何れかに記載の平面表示装置用シャーシであって、
前記シャーシ本体には、支持する構成部材の肉厚垂直方向のスライドを規制する規制手段が形成されていることを特徴とする
平面表示装置用シャーシ。
【請求項１５】
請求項１乃至１４の何れかに記載の平面表示装置用シャーシを備えることを特徴とする平面表示装置。
【請求項１６】
請求項１乃至１４の何れかに記載の平面表示装置用シャーシを備えることを特徴とする液晶表示装置。
【請求項１７】
平面表示装置用シャーシによって平面表示素子等の構成部材が支持された平面表示装置であって、
前記平面表示装置用シャーシは、平面方向の歪の自由度が小さい開口部を有するシャーシ本体を備え、
前記構成部材は、前記平面表示装置用シャーシに、肉厚方向に密接に支持されていることを特徴とする
平面表示装置。
【請求項１８】
請求項１乃至１４の何れかに記載の平面表示装置用シャーシを備えることを特徴とする平面表示装置用シャーシユニット。
【請求項１９】
平面表示装置用シャーシによって、導光板等の構成部材が支持された平面表示装置用シャーシユニットであって、
前記平面表示装置用シャーシは、平面方向の歪の自由度が小さい開口部を有するシャーシ本体を備え、
前記構成部材は、前記平面表示装置用シャーシに、肉厚方向に密接に支持されていることを特徴とする
平面表示装置用シャーシユニット。
【発明の詳細な説明】
【技術分野】
【０００１】
本願発明は、液晶表示装置等の平面表示装置において用いられるシャーシに関し、特に、液晶表示パネル等の構成部材を支持するバックシャーシに適したものである。
【背景技術】
【０００２】
液晶表示装置は、たとえば、バックシャーシに、導光板、光学シート、液晶表示パネルが順次積層され、その上方からベゼルが被せられて構成されているものが公知である。
【０００３】
そして、上記バックシャーシとしては、四角形状の開口部を有する樹脂シャーシが公知であるが（たとえば特許文献１）、かかる樹脂製のバックシャーシでは、外部からの衝撃に弱く、衝撃によって内部の構成部材が破損しやすいという問題を有している。特に、上記バックシャーシは、四角形状の開口部の対向する頂点を結ぶ方向（対角線方向）の衝撃によって容易に変形・破損してしまうという問題を有する。
【０００４】
また、耐衝撃性を考慮したものとして、四角形状の開口部を有する樹脂シャーシに板金加工により形成された補強用の金属板を一体化したものが公知である（たとえば特許文献２）。しかしながら、この液晶表示装置は、樹脂シャーシのほか金属板を用いるため、部品点数が多く、コスト高となる問題を有している。また、衝撃を受けた際に金属板が変形してしまうと、その後の使用が不能となるおそれもあった。
【特許文献１】特開平１０−６８８５７号公報
【特許文献２】特開平１１−１４９２５１号公報
【発明の開示】
【発明が解決しようとする課題】
【０００５】
そこで、本願発明は、上記問題点に鑑みてなされたものであり、本願発明は、十分な耐衝撃性を有するとともに、部品点数を減らすことができ、コストダウンを行うことのできる平面表示装置用シャーシを提供することを課題とする。
【課題を解決するための手段】
【０００６】
上記課題を解決すべく本願発明はなされているものであって、本願発明に係る平面表示装置用シャーシは、シャーシ本体が、平面方向の歪の自由度が小さい開口部を有することを特徴とする。
【０００７】
上記構成からなる本願発明によれば、シャーシ本体が開口部を有するため、シャーシ本体の軽量化を図ることができる。また、開口部は平面方向の歪の自由度が小さい為、シャーシ本体は十分な強度を発揮することができる。このため、従来のように樹脂シャーシに補強用の金属板を設けるもの（たとえば日本特許公開公報平成１１年第１４９２５１号）と異なり、補強用の部材を必ずしも必要としないので、部品点数を軽減して、コストダウンに寄与することも可能となる。
【０００８】
また、前記開口部をシャーシ本体に複数形成することが好ましく、これにより、軽量化をより図ることが可能となる。
【０００９】
このような、シャーシ本体の開口部としては略三角形状の開口部を採用することができる。ここで、「略三角形状」とは、三本の直線がそれぞれ交差して構成される三角形状だけではなく、たとえば、三本の湾曲線が交差して構成される形状や、頂点付近において、湾曲部や屈曲線等を有する形状等も含む概念である。
【００１０】
前記略三角形状の開口部は、略三角形の頂点を構成する二辺が連続するように設けることが好ましい。具体的には、略三角形の頂点付近を屈曲線或いは屈曲直線で結ぶ形状が設けられている構成や湾曲部を設ける構成を採用することが好ましい。これにより、開口部の略三角形状の頂点に応力が集中することを的確に回避することができる。ここで、湾曲部としては、たとえば、曲率Ｒが次式の範囲の円弧形状に形成することが好ましい。（なお、式中「<＝」とは、左辺のＲが右辺以下の範囲であることを意味する）
Ｒ<＝［｛（−ａ＋ｂ＋ｃ）（ａ―ｂ＋ｃ）（ａ＋ｂ―ｃ）｝／｛４（ａ＋ｂ＋ｃ）｝］1/2
なお、この式において、ａ，ｂ，ｃは、仮想の三角形（三本の直線がそれぞれ交差して構成される三角形）の各辺の長さを意味する。
【００１１】
前記略三角形状の開口部の少なくとも一辺は、他の略三角形状の開口部の一辺またはシャーシ本体の外縁と隣接するとともに略平行である点にあることが好ましい。これにより、シャーシをより軽量化することができる。
【００１２】
また、前記開口部の縁部に、周囲より大きな肉厚部を設けることが好ましく、これにより、全体を肉厚にしたものと略同等の強度が得られるとともに軽量化を図ることが可能となる。なお、上記した「周囲」とは、肉厚部から見て開口部の反対側に位置する部位を意味する。
【００１３】
なお、シャーシ本体は、たとえば、樹脂、セラミック等の焼成物、金属の何れか一つまたはこれらの少なくとも２つから構成することが可能である。
シャーシ本体を樹脂により構成する場合には、より軽量化が図られるとともに、破損しない程度の衝撃を受けてシャーシ本体が多少変形したとしても、樹脂の復元力によってシャーシ本体の形状が原状復帰するため、衝撃を受けた後も平面表示装置の継続使用が可能となる。
【００１４】
この場合には、シャーシ本体が、樹脂により一体成形されて構成されていることが好ましい。これにより、シャーシ本体を製造する際に必要な樹脂量を軽減することができ、よりコストダウンを図ることができる。
【００１５】
また、シャーシ本体が、セラミック等の焼成物により構成した場合には、極めて高い強度が得られるとともに、セラミック等の焼成物の輻射効率の良さに基づいて放熱効果も期待できる。このため、宇宙開発等の種々の分野において利用することが可能となる。
【００１６】
なお、シャーシ本体が、例えば回路基板等を取り付けるべく、三角形と異なる略多角形状（例えば四角形状）の開口部を有する場合が存在する。上記した略多角形状の開口部は、平面方向の自由度が高く、対角線方向の歪みが懸念される。この場合には、この平面方向の歪の自由度が大きい開口部の少なくとも一辺が、平面方向の歪の自由度が小さい部位に隣接している構成を採用することが好ましい。具体的には、略多角形状の開口部の少なくとも一辺が、平面方向の自由度が低い部分（たとえば、略三角形状の開口部の一辺またはシャーシ本体の外縁）に隣接していることが好ましい。これにより、平面方向の自由度が高い部位の少なくとも一辺が、平面方向の自由度が低い部分（たとえば略三角形状の開口部の一辺またはシャーシ本体の外縁）に隣接しているため、その歪を制限することができる。
【００１７】
また同様に、シャーシ本体が、略三角形状と異なる形状である複数の開口部からなる略多角形状の開口領域を有する場合にも、この開口領域の対角線方向の歪が懸念される。この場合には、この平面方向の歪の自由度が大きい開口領域の少なくとも一辺が、平面方向の歪の自由度が小さい部位に隣接している構成を採用することが好ましい。具体的には、略多角形状の開口領域の少なくとも一辺が、平面方向の自由度が低い部分（たとえば、略三角形状の開口部の一辺またはシャーシ本体の外縁）に隣接していることが好ましい。これにより、平面方向の自由度が高い部位の少なくとも一辺が、平面方向の自由度が低い部分（たとえば略三角形状の開口部の一辺またはシャーシ本体の外縁）に隣接しているため、その歪を制限することができる。
【００１８】
さらに、上記のように平面方向の歪の自由度が高い略多角形状の開口部又は開口領域を有する場合には、この開口部または開口領域の複数の辺が、平面方向の自由度が低い部分（略三角形状の開口部の一辺またはシャーシ本体の外縁）に隣接する構成であることが好ましく、これにより、平面方向の歪をより制限することができる。なお、上記した平面方向の自由度が低い部分に隣接する「開口部又は開口領域の複数の辺」は、多角形を構成する全ての辺であることが最も好ましく、また、一つの辺以外の全ての辺であること（たとえば四角形状の開口部の場合には三辺）も好ましく、また、隣接する二つの辺以外の全ての辺（たとえば四角形状の開口部の場合には対向する二辺）とすることも可能である。また、上記した略多角形状の開口部または開口領域は、その縁部に周囲より大きな肉厚部を設けることが好ましい。
【００１９】
また、シャーシ本体には、支持する構成部材を肉厚方向に密接に支持するように、ベゼルに対する係合手段が形成されている構成を採用することが好ましい。
【００２０】
これにより、係合手段がベゼルに係合されることにより、たとえば導光板のようにねじれの自由度の低い構成部材を肉厚方向に密接に支持でき、このためシャーシ本体のねじれを構成部材によって規制することが可能となる。すなわち、シャーシ本体がねじれの自由度を有する程度の厚みに形成されている場合であっても、前記構成部材（たとえば導光板）によってねじれの自由度が規制されるので、シャーシ本体の厚みを薄くでき、軽量化を図ることができる。
【００２１】
前述のように支持する構成部材の肉厚垂直方向のスライドを規制する規制手段がシャーシ本体に形成されていることが好ましい。これにより、規制手段によって構成部材（たとえば導光板）が肉厚垂直方向（平面方向）にスライドすることを防止でき、衝撃による破損をより的確に防止できる。
【００２２】
既述のようなシャーシは、液晶表示装置等の平面表示装置やシャーシユニットに採用することができる。
【００２３】
さらに、本願発明に係る平面表示装置は、平面表示装置用シャーシによって平面表示素子等の構成部材が支持された平面表示装置であって、前記平面表示装置用シャーシは、平面方向の自由度が小さい開口部を有するシャーシ本体を備え、前記構成部材は、前記平面表示装置用シャーシに、肉厚方向に密接に支持されていることを特徴とする。
【００２４】
また、本願発明に係るシャーシユニットは、平面表示装置用シャーシによって、導光板等の構成部材が支持された平面表示装置用シャーシユニットであって、前記平面表示装置用シャーシは、平面方向の自由度が小さい開口部を有するシャーシ本体を備え、前記構成部材は、前記平面表示装置用シャーシに、肉厚方向に密接に支持されていることを特徴とする。
【００２５】
かかる構成を採用することにより、シャーシ本体の平面方向の歪みの自由度が少なく、シャーシ本体によって十分な強度を発揮することができ、補強用の部材を必ずしも必要としないので、部品点数を軽減して、コストダウンに寄与することも可能となる。
さらに、平面表示装置用シャーシがねじれの自由度の低い構成部材（たとえば導光板）を肉厚方向に密接に支持するので、平面表示装置用シャーシのねじれを構成部材によって規制することが可能となる。
【発明の効果】
【００２６】
上述のように、本願発明によれば、シャーシ本体の平面方向の歪みの自由度が少なく、十分な強度を発揮することができ、従来の補強用の金属板を必ずしも必要としないので、部品点数を軽減して、コストダウンに寄与することも可能となる。また、シャーシ本体に開口部が形成されているため、軽量化を図ることができる。
【発明を実施するための最良の形態】
【００２７】
以下、本願発明の一実施の形態を図面を参酌しつつ説明する。なお、図１は、本実施形態の液晶表示装置の分解斜視図である。図２及び図３は、同実施形態の液晶表示装置のシャーシの説明図であり、図２は平面図、図３は底面図である。図４は、同実施形態の液晶表示装置の要部拡大断面側面図である。
【００２８】
本実施形態の液晶表示装置は、図１に示すように、外縁が上方に立ち上がった四角形状の樹脂シャーシ１００に、平面表示素子たる液晶パネル５００等の構成部材が積層されて支持されており、具体的には、反射手段たる反射シート２００、導光板３００、光学シート４００、液晶パネル５００が順次積層され、その上方より金属製のベゼル６００が被せられることにより、各構成部材２００，…が樹脂シャーシ１００に肉厚方向に密接に支持されている。前記樹脂シャーシ１００には、その外縁の立ち上がり部１１０の内側に光源たる冷陰極管７００が、前記導光板３００の縁部に対向するように収容されている（図４参照）。また、前記反射シート２００は、縁部２０１がコの字状に折り返されており、この折り返し部分２０１が冷陰極管７００と樹脂シャーシ１００との間に介在されて、リフレクタの機能を奏するように設けられている。なお、図示例ではＬ字状の冷陰極管７００が二つ配置され（図示省略）、導光板３００の四方から光が供給されるように設けられている。なお、図示例では、光学シート４００は、一枚のみ図示しているが、複数枚設けることも適宜設計変更可能な事項である。
【００２９】
前記樹脂シャーシ１００は、樹脂の一体成型品であるシャーシ本体１００から構成されており、このシャーシ本体１００は、複数（図示例では６個）の略三角形状の開口部１２０を有している。ここで、略三角形状の開口部１２０は、何れも略直角三角形状をなし、直角を構成する一辺は、シャーシ本体１００の外縁（立ち上がり部１１０）に隣接するとともに平行に設けられている。また、この略三角形状の他の辺は、隣接する他の開口部の一辺と略平行に設けられている。
【００３０】
また、この略三角形状の開口部１２０は、略三角形の頂点を構成する二辺が連続するように、該頂点付近に湾曲部１２１が設けられている。ここで、この湾曲部１２１は、曲率Ｒが以下の式のものが好適に用いられる。
Ｒ<［｛（−ａ＋ｂ＋ｃ）（ａ―ｂ＋ｃ）（ａ＋ｂ―ｃ）｝／｛４（ａ＋ｂ＋ｃ）｝］1/2
なお、この式において、ａ，ｂ，ｃは、仮想の三角形（三本の直線がそれぞれ交差して構成される三角形）の各辺の長さを意味する。
【００３１】
さらに、シャーシ本体１００は、略三角形状と異なる略多角形状の開口部１３０を有しており、具体的には、回路基板取付用の略四角形状の開口部１３０が二つ形成されている。この二つの回路基板取付用の開口部１３０のうち、一方の開口部１３０は、二つの辺がそれぞれシャーシ本体１００の外縁１１０に隣接するとともに平行に設けられており、他方の開口部１３０は、一つの辺がシャーシ本体１００の外縁１１０に隣接するとともに平行に設けられている。
【００３２】
また、シャーシ本体１００には、この回路基板取付用の開口部１３０に隣接して二つの開口部１４０が形成されており、この二つの開口部１４０及び二つの回路基板取付用開口部１３０の四つの開口部１３０，１４０によって、「略三角形と異なる形状の開口部を含む複数の開口部１３０，１４０からなる略多角形状の開口領域」が形成されている。この開口領域は、二つの辺がシャーシ本体１００の外縁１１０と隣接するとともに平行に設けられ、他の二つの辺が前記略三角形状の開口部１２０に隣接するとともに平行に設けられている。
【００３３】
なお、シャーシ本体１００は、前述した開口部１２０，１３０，１４０のほか、中央に略円形の開口部１５０を有するとともに、その両側に略四角形状の開口部１６０を有する。
【００３４】
また、前述した開口部１２０，…は、その縁部が周囲より大きな肉厚部１７０として設けられており、この肉厚部１７０は、図４に示すように、シャーシ本体１００の底面側に形成されている。つまり、シャーシ本体１００は、構成部材２００，…が積層される表面側は面一に形成され、開口部１２０，…の縁部において底面側に向けて突出して肉厚部１７０が形成されている。
【００３５】
さらに、シャーシ本体１００の縁部１１０の外側面には、ベゼル６００に対する係合手段１８０が形成されており、この係合手段１８０は、シャーシ本体１００の縁部１１０から外側に突出した凸部から構成されており、この凸部１８０は、図４に示すように、上方側がテーパー面１８１として形成されている。また、図示例において、凸部１８０は、シャーシ本体１００の長辺に四つ、短辺に二つ形成されている。
【００３６】
また、ベゼル６００には、前記係合手段１８０たる凸部に対応する部位に被係合手段たる穿孔６０１が形成されており、シャーシ本体１００に構成部材２００，…が積層された後に、ベゼル６００を被せることにより、前記係合手段１８０と被係合手段６０１とが係合することにより、ベゼル６００によって導光板３００等の構成部材２００，…がシャーシ本体１００側に圧接された状態で保持されることになる。
【００３７】
また、シャーシ本体１００は、導光板３００の肉厚垂直方向（平面方向）のスライドを規制する規制手段１９０を有しており、この規制手段１９０は、シャーシ本体１００の表面側（構成部材が積層される側）に突出した凸部から構成されている。この規制手段たる凸部１９０は、図４に示すように、導光板３００の縁部に接するように表面側に向けて突設されている。また、図示例において、この凸部１９０は、シャーシ本体１００の長辺に三つ、短辺に二つ形成されている。
【００３８】
また、前記反射シート２００には、前記規制手段たる凸部１９０に対応する部位に穿孔２０３が形成されており、前記規制手段たる凸部１９０は、反射シート２００の穿孔２０３から表面側に突出して導光板３００のスライドを規制するように設けられている。
【００３９】
さらに、シャーシ本体１００の対向する二つの隅部には、導光板３００の角の位置決めを行うための凸部１９１が形成されている。この位置決め用の凸部１９１に形成された窪み部１９３により導光板３００の位置決めがなされ、導光板３００の縁部が前記規制手段たる凸部１９０に当接することになる。
【００４０】
上記構成からなる本実施形態の液晶表示装置は、シャーシ本体１００の開口部１２０が略三角形状の形状であるため、シャーシ本体１００の平面方向の歪みの自由度が少なく、十分な強度を発揮することができる。このため、従来、強度が要求されない、あるいは、補強の金属板を別途必要とした樹脂シャーシ１００により、構成部材２００，…を支持することができ、部品点数を軽減して、コストダウンに寄与することができる。
【００４１】
また、シャーシ本体１００は、樹脂から一体成形され、さらに上述のような開口部１２０，…が複数形成されているため、シャーシ本体１００の軽量化を図ることができるとともに、樹脂材料の削減を図ることができ、コストダウンに寄与することができる。特に、略三角形状の開口部１２０の各辺が、他の略三角形状の開口部１２０の一辺またはシャーシ本体１００の縁部１１０に、隣接するとともに平行であるため、より軽量化及び樹脂材料の削減を図ることができる。
【００４２】
また、回路基板取付用の略四角形状の開口部１３０も、シャーシ本体１００の縁部１１０に隣接するとともに平行であり、また、この回路基板取付用の開口部１３０を含む開口領域も、略三角形状の開口部１２０の一辺またはシャーシ本体１００の縁部１１０に、隣接するとともに平行であるため、かかる部位の強度も十分に得ることかできるとともに、軽量化及び樹脂材料の削減を図ることができる。
【００４３】
また、前記開口部１２０，…の縁部には肉厚部１７０が設けられているので、全体を肉厚にしたものと略同等の強度が得られるとともに軽量化を図ることが可能となる。
【００４４】
なお、上記実施形態の液晶表示装置は上記構成により上述の利点を有するものであったが、本願発明は上記実施形態の構成に限定されるものではなく、本願発明の意図する範囲内において適宜設計変更可能である。
【００４５】
つまり、本願発明にあっては、液晶表示パネル５００を含む液晶表示装置についてのみ説明したが、その他の平面表示装置や、平面表示装置に用いられるシャーシや、このシャーシに光源等の構成部材が一体化されたシャーシユニット等も本願発明の意図する範囲内である。
【００４６】
また、上記実施形態にあっては、シャーシ本体１００の略三角形状の開口部１２０の各頂点付近に湾曲部１２１が設けられているため、この頂点に応力が集中することを的確に回避することができ、十分な強度を確保することができるものであったが、本願発明はこれに限定されるものではない。たとえば、図５に示すように、頂点付近を屈曲直線１２３で結ぶ形状が設けられている構成を採用することにより、略三角形状の頂点に応力が集中することを回避するよう設けることも可能である。
【００４７】
また、上記実施形態においては、シャーシ本体１００が略三角形状の開口部１２０を六つ有するものについて説明したが、本願発明において、略三角形状の開口部１２０の数はこれに限定されるものではなく、たとえば、図６に示すように、略三角形状の開口部１２０が二つのものも本願発明の意図する範囲内である。また、上記実施形態においては、略直角三角形の開口部１２０を採用したが、図７に示すように、略二等辺三角形の開口部１２０を採用することも可能である。さらに、略直角三角形の開口部１２０を採用した場合であっても、図８に示すような配置とすることも可能である。すなわち、本願発明において、複数の略三角形状の開口部１２０の数や配置は、適宜設計変更可能な事項である。また、平面方向の自由度の小さい開口部としては、円形の開口部を採用することも可能である。
【００４８】
また、上記実施形態においては、シャーシ１００が樹脂成型品であるシャーシ本体のみからなるものについて説明したが、本願発明は、これに限定されず、たとえば、シャーシ本体１００が金属で構成されるものや、セラミック等の焼成物で構成されるもの、そして金属と樹脂とセラミック等の焼成物の少なくとも２つとから構成されるものも本願発明の意図する範囲内である。
【００４９】
また、上記実施形態においては、シャーシがシャーシ本体１００のみから構成され、該シャーシ本体１００が一体の樹脂成型品であるものについて説明したが、本願発明は、これに限定されず、たとえば、シャーシ本体１００が、樹脂、金属、焼成物等からなる複数の部品が、溶接、ネジ止め、係り止め等によって一体としたものも本願発明の意図する範囲内である。
【図面の簡単な説明】
【００５０】
【図１】本願発明の一実施形態の液晶表示装置の分解斜視図である。
【図２】同実施形態の液晶表示装置のシャーシの平面図である。
【図３】同実施形態の液晶表示装置のシャーシの底面図である。
【図４】同実施形態の液晶表示装置の図２のＡ−Ａ線における断面図である。
【図５】本願発明のその他の実施形態の液晶表示装置用シャーシの開口部の拡大平面図である。
【図６】本願発明のその他の実施形態の液晶表示装置用シャーシの平面図である。
【図７】本願発明のその他の実施形態の液晶表示装置用シャーシの平面図である。
【図８】本願発明のその他の実施形態の液晶表示装置用シャーシの平面図である。
【符号の説明】
【００５１】
１００  樹脂シャーシ
１１０  立ち上がり部
１２０  略三角形状の開口部
１２１  湾曲部
１３０  回路基板取付用の略四角形状の開口部
１４０  開口領域の開口部
１５０  円形の開口部
１６０  略四角形状の開口部
１７０  肉厚部（開口部の縁部）
１８０  係合手段（凸部）
１８１  テーパー面
１９０  規制手段（凸部）
１９１  位置決め用の凸部
１９３  窪み部
２００  反射シート
２０１  折り返し部分
２０３  穿孔
３００  導光板
４００  光学シート
５００  液晶パネル
６００  ベゼル
６０１  被係合手段（穿孔）
７００  冷陰極管
【図１】
2004272237.tif 000003
【図２】
2004272237.tif 000004
【図３】
2004272237.tif 000005
【図４】
2004272237.tif 000006
【図５】
2004272237.tif 000007
【図６】
2004272237.tif 000008
【図７】
2004272237.tif 000009
【図８】
2004272237.tif 000010